(57)【要約】【課題】光源の数が削減されて光学部材の縁部に最も近い光源と光学部材の縁部との間の距離が大きくなった場合でも、表示画面の縁部が大幅に暗く表示されるのを抑制することが可能な表示装置を提供する。【解決手段】この液晶テレビジョン装置（表示装置）１００は、表示部１に光を照射する複数の光源７と、表示部１と光源７との間に配置される拡散板１１と、光源７および拡散板１１を背面側から支持するリアフレーム４と、リアフレーム４の表面に配置され、光源７からの光を表示部１側に反射する反射シート１０とを備える。複数の光源７の中でリアフレーム４の縁部４ａに最も近い位置に配置された縁部側光源７ａから表示部１側に出射された出射光のうち、最大輝度の半分以上最大輝度未満の輝度で出射された出射光が、リアフレーム４の縁部４ａに対応する拡散板１１の縁部１１ａに到達するように構成されている。【選択図】図５
2014153394.tif 000002
【特許請求の範囲】
【請求項１】
表示部と、
前記表示部の背面側に配置され、前記表示部に光を照射する複数の光源と、
前記表示部と前記光源との間に配置される板状の光学部材と、
前記光源および前記板状の光学部材を背面側から支持する背面側支持部材と、
前記背面側支持部材の表面に配置され、前記光源からの光を前記表示部側に反射する反射シートとを備え、
前記複数の光源の中で前記背面側支持部材の縁部に最も近い位置に配置された縁部側光源から前記表示部側に出射された出射光のうち、最大輝度の半分以上最大輝度未満の輝度で出射された出射光が、前記背面側支持部材の縁部に対応する前記板状の光学部材の縁部に到達するように構成されている、表示装置。
【請求項２】
前記板状の光学部材は、前記光源からの光を前記表示部側に拡散する拡散板を含み、
前記縁部側光源から前記表示部側に出射された出射光のうち、最大輝度の半分以上最大輝度未満の輝度で出射された出射光が、前記背面側支持部材の縁部に対応する前記拡散板の縁部に到達するように構成されている、請求項１に記載の表示装置。
【請求項３】
前記縁部側光源と前記板状の光学部材との間の距離Ｄ、および、前記縁部側光源に対応する前記板状の光学部材の部分と、前記背面側支持部材の縁部に対応する前記板状の光学部材の縁部との間の距離Ｐは、下記の式（１）を満たすように設定されている、請求項１または２に記載の表示装置。
Ｄ×ｔａｎ（Ｌａ０）＜Ｐ≦Ｄ×ｔａｎ（Ｌａ１）  …（１）
上記の式（１）において、Ｌａ０は、前記縁部側光源から前記表示部側に出射された出射光のうち、最大輝度で出射された出射光の、前記板状の光学部材に直交する方向に対する角度を表し、Ｌａ１は、前記縁部側光源から前記表示部側に出射された出射光のうち、最大輝度の半分の輝度で出射された出射光の、前記板状の光学部材に直交する方向に対する角度を表す。
【請求項４】
前記反射シートは、前記板状の光学部材に対して平行に延びる底面部と、前記底面部の端部から前記背面側支持部材の縁部に向かって傾斜して延びる斜面部とを含み、
前記縁部側光源から出射されて前記斜面部により反射された反射光が、前記背面側支持部材の縁部に対応する前記板状の光学部材の縁部に到達するように、前記底面部と直交する方向に対する前記斜面部の傾斜角度Ｒａが設定されている、請求項３に記載の表示装置。
【請求項５】
前記斜面部の傾斜角度Ｒａは、下記の式（２）を満たすように設定されている、請求項４に記載の表示装置。
４０°≦Ｒａ≦Ｌａ０  …（２）
【請求項６】
前記斜面部の傾斜角度Ｒａは、下記の式（３）を満たすように設定されている、請求項５に記載の表示装置。
５０°≦Ｒａ≦Ｌａ０  …（３）
【請求項７】
前記縁部側光源が、第１の色の光と、前記第１の色の光の外側に位置する第２の色の光とを含む光を出射する場合に、前記背面側支持部材の縁部に対応する前記板状の光学部材の縁部において、外側に位置する前記第２の色の光が前記第１の色の光と混ざり合うことが可能なように、前記底面部と直交する方向に対する前記斜面部の傾斜角度Ｒａが設定されている、請求項４〜６のいずれか１項に記載の表示装置。
【発明の詳細な説明】
【技術分野】
【０００１】
この発明は、表示装置に関し、特に、表示部に光を照射する複数の光源を備えた表示装置に関する。
【背景技術】
【０００２】
従来、表示部に光を照射する複数の光源を備えた表示装置が知られている（たとえば、特許文献１参照）。
【０００３】
上記特許文献１には、液晶表示パネル（表示部）に背面側から光を照射する蛍光管（光源）と、蛍光管からの光を表示部側に反射する反射シートとを備えた液晶表示装置が開示されている。この液晶表示装置では、液晶表示パネルと蛍光管との間に、蛍光管からの光を液晶表示パネル側に拡散する拡散シート（板状の光学部材）が配置されている。また、蛍光管は、反射シートの表面上に間隔を隔てて複数並列に配置されている。
【先行技術文献】
【特許文献】
【０００４】
【特許文献１】特開２００９−１１６０３７号公報
【発明の概要】
【発明が解決しようとする課題】
【０００５】
ここで、上記特許文献１に開示されたような従来の液晶表示装置では、低コスト化を図るために、蛍光管（光源）の数が削減される場合がある。たとえば、拡散シートの縁部に最も近い位置に配置された蛍光管が削減される場合がある。しかしながら、この場合には、削減された蛍光管よりも拡散シートの縁部からの距離が離れた蛍光管（削減された蛍光管の次に拡散シートの縁部に近い蛍光管）からの光しか拡散シートの縁部に到達しないため、拡散シート（光学部材）の縁部に到達する光の輝度が大幅に低下して、表示画面の縁部が大幅に暗く表示されるという問題点がある。
【０００６】
この発明は、上記のような課題を解決するためになされたものであり、この発明の１つの目的は、光源の数が削減されて光学部材の縁部に最も近い光源と光学部材の縁部との間の距離が大きくなった場合でも、表示画面の縁部が大幅に暗く表示されるのを抑制することが可能な表示装置を提供することである。
【課題を解決するための手段】
【０００７】
上記目的を達成するために、この発明の一の局面による表示装置は、表示部と、表示部の背面側に配置され、表示部に光を照射する複数の光源と、表示部と光源との間に配置される板状の光学部材と、光源および板状の光学部材を背面側から支持する背面側支持部材と、背面側支持部材の表面に配置され、光源からの光を表示部側に反射する反射シートとを備え、複数の光源の中で背面側支持部材の縁部に最も近い位置に配置された縁部側光源から表示部側に出射された出射光のうち、最大輝度の半分以上最大輝度未満の輝度で出射された出射光が、背面側支持部材の縁部に対応する板状の光学部材の縁部に到達するように構成されている。
【０００８】
この発明の一の局面による表示装置では、上記のように構成することによって、光源の数が削減されて光学部材の縁部に最も近い光源と光学部材の縁部との間の距離が大きくなった場合でも、板状の光学部材の縁部には、縁部側光源から出射された出射光のうち、最大輝度の半分以上最大輝度未満の輝度で出射された出射光が到達する。これにより、光源の数が削減されて光学部材の縁部に最も近い光源と光学部材の縁部との間の距離が大きくなった場合でも、光学部材の縁部に到達する光の輝度が大幅に低下するのを抑制することができるので、表示画面の縁部が大幅に暗く表示されるのを抑制することができる。その結果、視聴者が表示画面に違和感を覚えるのを抑制することができる。
【０００９】
上記一の局面による表示装置において、好ましくは、板状の光学部材は、光源からの光を表示部側に拡散する拡散板を含み、縁部側光源から表示部側に出射された出射光のうち、最大輝度の半分以上最大輝度未満の輝度で出射された出射光が、背面側支持部材の縁部に対応する拡散板の縁部に到達するように構成されている。このように構成すれば、光源の数が削減されて光学部材の縁部に最も近い光源と光学部材の縁部との間の距離が大きくなった場合でも、縁部側光源から出射された出射光のうち、最大輝度の半分以上最大輝度未満の輝度で出射された出射光が拡散板の縁部に到達して拡散されるので、表示画面の縁部が大幅に暗く表示されるのを効果的に抑制することができる。
【００１０】
上記一の局面による表示装置において、好ましくは、縁部側光源と板状の光学部材との間の距離Ｄ、および、縁部側光源に対応する板状の光学部材の部分と、背面側支持部材の縁部に対応する板状の光学部材の縁部との間の距離Ｐは、下記の式（１）を満たすように設定されている。
Ｄ×ｔａｎ（Ｌａ０）＜Ｐ≦Ｄ×ｔａｎ（Ｌａ１）  …（１）
上記の式（１）において、Ｌａ０は、縁部側光源から表示部側に出射された出射光のうち、最大輝度で出射された出射光の、板状の光学部材に直交する方向に対する角度を表し、Ｌａ１は、縁部側光源から表示部側に出射された出射光のうち、最大輝度の半分の輝度で出射された出射光の、板状の光学部材に直交する方向に対する角度を表す。
このように距離ＤおよびＰを設定すれば、光源の数が削減されて光学部材の縁部に最も近い光源と光学部材の縁部との間の距離が大きくなった場合でも、縁部側光源から出射された出射光のうち、最大輝度の半分以上最大輝度未満の輝度で出射された出射光を、容易に、板状の光学部材の縁部に到達させることができる。
【００１１】
この場合、好ましくは、反射シートは、板状の光学部材に対して平行に延びる底面部と、底面部の端部から背面側支持部材の縁部に向かって傾斜して延びる斜面部とを含み、縁部側光源から出射されて斜面部により反射された反射光が、背面側支持部材の縁部に対応する板状の光学部材の縁部に到達するように、底面部と直交する方向に対する斜面部の傾斜角度Ｒａが設定されている。このように傾斜角度Ｒａを設定すれば、縁部側光源から板状の光学部材の縁部よりも外側に出射された光も、斜面部により反射された後に、板状の光学部材の縁部に到達するので、板状の光学部材の縁部に到達する光の光量を増加させることができる。これにより、表示画面の縁部が大幅に暗く表示されるのをより効果的に抑制することができる。
【００１２】
上記反射シートが底面部と斜面部とを含む表示装置において、好ましくは、斜面部の傾斜角度Ｒａは、下記の式（２）を満たすように設定されている。
４０°≦Ｒａ≦Ｌａ０  …（２）
このように傾斜角度Ｒａを設定すれば、斜面部により、容易に、縁部側光源から板状の光学部材の縁部よりも外側に出射された光を板状の光学部材の縁部に到達するように反射することができる。
【００１３】
この場合、好ましくは、斜面部の傾斜角度Ｒａは、下記の式（３）を満たすように設定されている。
５０°≦Ｒａ≦Ｌａ０  …（３）
このように傾斜角度Ｒａを設定すれば、斜面部により、より確実に、縁部側光源から板状の光学部材の縁部よりも外側に出射された光を板状の光学部材の縁部に到達するように反射することができる。
【００１４】
上記反射シートが底面部と斜面部とを含む表示装置において、好ましくは、縁部側光源が、第１の色の光と、第１の色の光の外側に位置する第２の色の光とを含む光を出射する場合に、背面側支持部材の縁部に対応する板状の光学部材の縁部において、外側に位置する第２の色の光が第１の色の光と混ざり合うことが可能なように、底面部と直交する方向に対する斜面部の傾斜角度Ｒａが設定されている。このように傾斜角度Ｒａを設定すれば、縁部側光源からの出射光の色ずれが大きい場合（縁部側光源が、第１の色の光と、第１の色の光の外側に位置する第２の色の光とを含む光を出射する場合）でも、斜面部により、容易に、第２の色の光を、背面側支持部材の縁部に対応する板状の光学部材の縁部において第１の色の光と混ざり合うように反射することができるので、色ムラを低減することができる。
【発明の効果】
【００１５】
本発明によれば、上記のように、光源の数が削減されて光学部材の縁部に最も近い光源と光学部材の縁部との間の距離が大きくなった場合でも、表示画面の縁部が大幅に暗く表示されるのを抑制することができる。
【図面の簡単な説明】
【００１６】
【図１】本発明の一実施形態による液晶テレビジョン装置の全体構成を示した斜視図である。
【図２】図１に示した液晶テレビジョン装置の背面図である。
【図３】図２の５０−５０線に沿った模式的な断面図である。
【図４】本発明の一実施形態によるリアフレーム、ヒートシンク、基板、反射シートおよび拡散レンズを示した分解斜視図である。
【図５】本発明の一実施形態による縁部側光源と拡散板との間の距離と、縁部側光源に対応する拡散板の部分と拡散板の縁部との間の距離との関係を説明するための模式的な断面図である。
【図６】本発明の一実施形態による縁部側光源からの出射光の色ずれが大きい場合に縁部側光源から白色の光および黄色の光が出射された状態を示した模式的な断面図である。
【発明を実施するための形態】
【００１７】
以下、本発明の実施形態を図面に基づいて説明する。
【００１８】
まず、図１〜図６を参照して、本発明の一実施形態による液晶テレビジョン装置１００の構成について説明する。なお、液晶テレビジョン装置１００は、本発明の「表示装置」の一例である。
【００１９】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。前部筐体２は、正面から見て（矢印Ｙ１方向側から見て）矩形状の外形を有する枠状に形成されている。具体的には、前部筐体２の中央部近傍には、表示部１を正面側に露出させるための矩形状の開口部２ａが設けられている。また、図３に示すように、前部筐体２は、前方（矢印Ｙ１方向）に窪む凹形状に形成されている。
【００２０】
また、図２および図３に示すように、液晶テレビジョン装置１００は、表示部１を背面側（矢印Ｙ２方向側）から支持する板金製のリアフレーム４を備える。このリアフレーム４は、前部筐体２の背面側に嵌り込む矩形状の縁部４ａを有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらのリアフレーム４およびカバー部材５によって、前部筐体２に対応する後部筐体が構成されている。なお、リアフレーム４は、本発明の「背面側支持部材」の一例である。
【００２１】
図３に示すように、リアフレーム４の表面（矢印Ｙ１方向側の面）には、板金製のヒートシンク６が配置されている。また、ヒートシンク６の表面には、表示部１に背面側（矢印Ｙ２方向側）から光を照射する光源７が実装された基板８が配置されている。なお、光源７は、白色ＬＥＤ（Ｌｉｇｈｔ  Ｅｍｉｔｔｉｎｇ  Ｄｉｏｄｅ）などにより構成されている。また、図４に示すように、光源７は、基板８の表面に、基板８の延びる方向（Ｘ方向）に沿って間隔を隔てて複数実装されている。
【００２２】
また、図３および図４に示すように、基板８の複数の光源７が実装された表面（矢印Ｙ１方向側の面）には、複数の光源７をそれぞれ覆う複数の拡散レンズ９が取り付けられている。この拡散レンズ９は、アクリルなどの樹脂により構成されており、光源７からの出射光を表示部１側に拡散する機能（図３の矢印付きの点線参照）を有する。なお、図３に示すように、拡散レンズ９の底面の中央部近傍（基板８の表面の光源７に対応する位置）には、凹部９ａが設けられている。また、拡散レンズ９には、拡散レンズ９の底面から基板８側に延びる柱状のボス９ｂが設けられており、このボス９ｂが基板８の表面に接着されることにより、基板８の表面の光源７に対応する位置に拡散レンズ９が取り付けられている。
【００２３】
また、図３および図４に示すように、基板８と拡散レンズ９との間には、光源７からの光を表示部１側に反射する樹脂製の反射シート１０が配置されている。この反射シート１０は、基板８の表面上に配置された状態で、リアフレーム４に沿った形状（矢印Ｙ２方向側に窪む凹形状）を有する。具体的には、図４に示すように、反射シート１０は、左右方向（Ｘ方向）に延びる長方形形状を有する底面部１０ａと、底面部１０ａの４辺を取り囲むように配置される４つの斜面部１０ｂとを含む。なお、図３に示すように、底面部１０ａは、後述する拡散板１１に対して平行に延びるように形成されている。また、斜面部１０ｂは、底面部１０ａの端部からリアフレーム４の縁部４ａに向かって傾斜して延びるように形成されている。また、図４および図５に示すように、底面部１０ａには、複数の光源７（拡散レンズ９）にそれぞれ対応する複数の穴部１０ｃが左右方向（Ｘ方向）に間隔を隔てて一直線状に設けられている。
【００２４】
また、図３に示すように、反射シート１０と表示部１との間（光源７と表示部１との間）には、拡散レンズ９により拡散された光を表示部１側にさらに拡散する樹脂製の拡散板１１が配置されている。この拡散板１１は、リアフレーム４の矩形状の縁部４ａに対応する矩形状の外形を有する。すなわち、拡散板１１は、上下方向（Ｚ方向）および左右方向（Ｘ方向）に延びる矩形の平板状に形成されている。なお、拡散板１１は、本発明の「板状の光学部材」の一例である。
【００２５】
ここで、本実施形態では、複数の光源７の中でリアフレーム４の縁部４ａに最も近い位置に配置された光源７（基板８の左右方向（Ｘ方向）の両端部近傍に配置された光源７：以下、縁部側光源７ａという）から表示部１側に出射された出射光（図５の三角矢印付きの直線参照）のうち、最大輝度の半分以上最大輝度未満の輝度で出射された出射光が、リアフレーム４の縁部４ａに対応する拡散板１１の縁部１１ａに到達するように構成されている。なお、最大輝度の半分以上最大輝度未満の輝度で出射された出射光とは、最大輝度で出射された出射光Ｌ０（図５参照）よりも外側（リアフレーム４側：矢印Ｚ１方向側）で、かつ、最大輝度の半分の輝度で出射された出射光Ｌ１（図５参照）よりも内側（リアフレーム４側とは反対側：矢印Ｚ２方向側）に位置する出射光のことである。また、最大輝度の半分以上最大輝度未満の輝度で出射された出射光とは、最大輝度で出射された出射光Ｌ０の出射角度（拡散板１１に直交する方向（Ｙ方向）に対する角度）をＬａ０（図５参照）とし、最大輝度の半分の輝度で出射された出射光Ｌ１の出射角度をＬａ１（図５参照）とした場合に、Ｌａ０を上回り、かつ、Ｌａ１以下の出射角度で出射された出射光のことである。
【００２６】
また、本実施形態では、縁部側光源７ａと拡散板１１との間の前後方向（Ｙ方向）の距離Ｄ（図５参照）と、拡散板１１の縁部側光源７ａに対応する部分１１ｂと縁部１１ａとの間の上下方向（Ｚ方向）の距離Ｐ（図５参照）とは、上記出射角度Ｌ０およびＬ１（図５参照）との関係で、下記の式（１）を満たすように設定されている。なお、図５は、Ｐ＝Ｄ×ｔａｎ（Ｌａ１）の場合を示した図面である。
Ｄ×ｔａｎ（Ｌａ０）＜Ｐ≦Ｄ×ｔａｎ（Ｌａ１）  …（１）
【００２７】
また、本実施形態では、底面部１０ａと直交する方向（Ｙ方向）に対する斜面部１０ｂの傾斜角度Ｒａ（図５および図６参照）は、下記の式（２）および（３）を満たすように設定されている。なお、図５および図６は、傾斜角度Ｒａが約６０°の場合を示した図面である。
４０°≦Ｒａ≦Ｌａ０  …（２）
５０°≦Ｒａ≦Ｌａ０  …（３）
【００２８】
以上により、本実施形態では、図５に示すように、縁部側光源７ａから出射された出射光（図５の三角矢印付きの直線参照）のうち、最大輝度の半分の輝度で出射された出射光Ｌ１よりも外側（矢印Ｚ１方向側）に位置する出射光は、斜面部１０ｂにより反射された後に、拡散板１１の縁部１１ａに到達するように構成されている。
【００２９】
また、本実施形態では、上記のように斜面部１０ｂの傾斜角度Ｒａが設定されていることによって、図６に示すように、縁部側光源７ａからの出射光の色ずれが大きい場合（縁部側光源７ａが、白色の光（図６の三角矢印付きの一点鎖線参照）と、白色の光の外側（矢印Ｚ１方向側）に位置する黄色の光（図６の三角矢印付きの二点鎖線参照）とを出射する場合）でも、黄色の光は、斜面部１０ｂにより反射された後に、拡散板１１の縁部１１ａにおいて、白色の光と混ざり合うことが可能なように構成されている。なお、白色の光は、本発明の「第１の色の光」の一例であるとともに、黄色の光は、本発明の「第２の色の光」の一例である。
【００３０】
本実施形態では、上記のように、複数の光源７の中でリアフレーム４の縁部４ａに最も近い位置に配置された縁部側光源７ａから表示部１側に出射された出射光（図５の三角矢印付きの直線参照）のうち、最大輝度の半分以上最大輝度未満の輝度で出射された出射光（図５において、最大輝度で出射された出射光Ｌ０よりも外側（矢印Ｚ１方向側）で、かつ、最大輝度の半分の輝度で出射された出射光Ｌ１よりも内側（矢印Ｚ２方向側）に位置する出射光）が、リアフレーム４の縁部４ａに対応する拡散板１１の縁部１１ａに到達するように液晶テレビジョン装置１００を構成する。これにより、光源７の数が削減されて拡散板１１の縁部１１ａに最も近い光源７と拡散板１１の縁部１１ａとの間の距離が大きくなった場合でも、拡散板１１の縁部１１ａには、縁部側光源７ａから出射された出射光のうち、最大輝度の半分以上最大輝度未満の輝度で出射された出射光が到達する。その結果、光源７の数が削減されて拡散板１１の縁部１１ａに最も近い光源７と拡散板１１の縁部１１ａとの間の距離が大きくなった場合でも、光学部材の縁部に到達する光の輝度が大幅に低下するのを抑制することができるので、表示画面の縁部が大幅に暗く表示されるのを抑制することができる。その結果、視聴者が表示画面に違和感を覚えるのを抑制することができる。また、拡散板１１の縁部１１ａに到達した光は、拡散板１１の縁部１１ａにより拡散されるので、表示画面の縁部が大幅に暗く表示されるのを効果的に抑制することができる。
【００３１】
また、本実施形態では、上記のように、縁部側光源７ａと拡散板１１との間の前後方向（Ｙ方向）の距離Ｄ（図５参照）と、拡散板１１の縁部側光源７ａに対応する部分１１ｂと縁部１１ａとの間の上下方向（Ｚ方向）の距離Ｐ（図５参照）とを、下記の式（１）を満たすように設定する。なお、図５は、Ｐ＝Ｄ×ｔａｎ（Ｌａ１）の場合を示した図面である。
Ｄ×ｔａｎ（Ｌａ０）＜Ｐ≦Ｄ×ｔａｎ（Ｌａ１）  …（１）
上記の式（１）において、Ｌａ０は、縁部側光源７ａから表示部１側に出射された出射光のうち、最大輝度で出射された出射光Ｌ０（図５参照）の、拡散板１１に直交する方向（Ｙ方向）に対する角度を表す。また、Ｌａ１は、縁部側光源７ａから表示部１側に出射された出射光のうち、最大輝度の半分の輝度で出射された出射光Ｌ１（図５参照）の、拡散板１１に直交する方向に対する角度を表す。
このように距離ＤおよびＰを設定すれば、光源７の数が削減されて拡散板１１の縁部１１ａに最も近い光源７と拡散板１１の縁部１１ａとの間の距離が大きくなった場合でも、縁部側光源７ａから出射された出射光のうち、最大輝度の半分以上最大輝度未満の輝度で出射された出射光（図５において、Ｌａ０を上回り、かつ、Ｌａ１以下の出射角度で出射された出射光）を、容易に、拡散板１１の縁部１１ａに到達させることができる。
【００３２】
また、本実施形態では、上記のように、縁部側光源７ａから出射されて斜面部１０ｂにより反射された反射光が、リアフレーム４の縁部４ａに対応する拡散板１１の縁部１１ａに到達するように、底面部１０ａと直交する方向（Ｙ方向）に対する斜面部１０ｂの傾斜角度Ｒａ（図５および図６参照）を設定する。このように傾斜角度Ｒａを設定すれば、図５に示すように、縁部側光源７ａから拡散板１１の縁部１１ａよりも外側（矢印Ｚ１方向側）に出射された光（図５においてＬ１よりも外側に出射された光）も、斜面部１０ｂにより反射された後に、拡散板１１の縁部１１ａに到達するので、拡散板１１の縁部１１ａに到達する光の光量を増加させることができる。これにより、表示画面の縁部が大幅に暗く表示されるのをより効果的に抑制することができる。
【００３３】
また、本実施形態では、上記のように、斜面部の傾斜角度Ｒａ（図５および図６参照）を、下記の式（２）および（３）を満たすように設定する。なお、図５および図６は、傾斜角度Ｒａが約６０°の場合を示した図面である。
４０°≦Ｒａ≦Ｌａ０  …（２）
５０°≦Ｒａ≦Ｌａ０  …（３）
このように傾斜角度Ｒａを設定すれば、斜面部により、容易かつ確実に、縁部側光源７ａから拡散板１１の縁部１１ａよりも外側（矢印Ｚ１方向側）に出射された光を、拡散板１１の縁部１１ａに到達するように反射することができる。
【００３４】
また、本実施形態では、上記のように、縁部側光源７ａが、白色の光（図６の三角矢印付きの一点鎖線参照）と、白色の光の外側（矢印Ｚ１方向側）に位置する黄色の光（図６の三角矢印付きの一点鎖線参照）とを含む光を出射する場合（縁部側光源７ａからの出射光の色ずれが大きい場合）に、リアフレーム４の縁部４ａに対応する拡散板１１の縁部１１ａにおいて、外側に位置する黄色の光が白色の光と混ざり合うことが可能なように、底面部１０ａと直交する方向（Ｙ方向）に対する斜面部１０ｂの傾斜角度Ｒａを設定する。このように傾斜角度Ｒａを設定すれば、縁部側光源７ａからの出射光の色ずれが大きい場合でも、斜面部１０ｂにより、容易に、黄色の光を、リアフレーム４の縁部４ａに対応する拡散板１１の縁部１１ａにおいて白色の光と混ざり合うように反射することができるので、色ムラを低減することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、本発明の表示装置の一例としてテレビジョン装置を用いる例を示したが、本発明はこれに限らない。本発明は、テレビジョン装置以外にも、ＰＣ（Ｐｅｒｓｏｎａｌ  Ｃｏｍｐｕｔｅｒ）用のディスプレイ装置などの一般的な表示装置に適用可能である。
【００３７】
また、上記実施形態では、本発明の板状の光学部材の一例として、樹脂製の拡散板を用いる例を示したが、本発明はこれに限らない。本発明では、樹脂製の拡散板以外の板状の光学部材を用いてもよい。
【００３８】
また、上記実施形態では、複数の光源が一直線状に実装された基板を１個だけ設ける例を示したが、本発明はこれに限らない。本発明では、複数の光源が一直線状に実装された基板を２個以上設けてもよい。この場合、複数の光源の中で拡散板の４隅に最も近い位置に配置された４個の光源を縁部側光源として、これら４個の縁部側光源について、最大輝度の半分以上最大輝度未満の輝度で出射された出射光が拡散板の４隅に到達するように構成すればよい。
【００３９】
また、上記実施形態では、縁部側光源と拡散板との間の距離Ｄと、拡散板の縁部側光源に対応する部分と縁部との間の距離Ｐとが、Ｐ＝Ｄ×ｔａｎ（Ｌａ１）という関係式を満たす例（図５参照）を示したが、本発明はこれに限らない。本発明では、距離ＤおよびＰが、上記の式（１）に規定されたＤ×ｔａｎ（Ｌａ０）＜Ｐ≦Ｄ×ｔａｎ（Ｌａ１）という関係式を満たしていればよい。
【００４０】
また、上記実施形態では、反射シートの底面部に直交する方向に対する斜面部の傾斜角度Ｒａが約６０°である例（図５および図６参照）を示したが、本発明はこれに限らない。本発明では、斜面部の傾斜角度Ｒａが、上記の式（２）に規定された４０°≦Ｒａ≦Ｌａ０という関係式と、上記の式（３）に規定された５０°≦Ｒａ≦Ｌａ０という関係式との少なくとも一方を満たしていればよい。
【符号の説明】
【００４１】
１  表示部
４  リアフレーム（背面側支持部材）
４ａ  縁部
７  光源
７ａ  縁部側光源
１０  反射シート
１０ａ  底面部
１０ｂ  斜面部
１１  拡散板（板状の光学部材）
１１ａ  縁部
１００  液晶テレビジョン装置（表示装置）
【図１】
2014153394.tif 000003
【図２】
2014153394.tif 000004
【図３】
2014153394.tif 000005
【図４】
2014153394.tif 000006
【図５】
2014153394.tif 000007
【図６】
2014153394.tif 000008